(57)【要約】【課題】  消費電力の高い回動式の表示部では、表示部の温度が上昇する。【解決手段】  回動可能な筐体の外観面の一部を構成する金属製の放熱部材は回動機構と対向する位置に配置され、筐体の放熱部材を含む外観面と本体とで形成された空間には外気が通る穴形状、もしくは溝形状が設けられる。【選択図】  図９
2020061708.tif 000002
【特許請求の範囲】
【請求項１】
回動機構により装置本体に対して回動可能なファインダユニットを備えた撮像装置であって、
前記ファインダユニットは、前記回動機構と対向する位置に配置され複数のフィン形状を備えた金属製の放熱部材と、上面側及び下面側に設けられた穴形状または溝形状と、を有し、
前記回動機構により前記ファインダユニットを下端まで回動させた第一の状態では、前記ファインダユニットと前記装置本体との間に略閉空間が形成され、前記上面側及び下面側に設けられた前記穴形状または前記溝形状を介して前記略閉空間を外気が通過することにより前記放熱部材の熱が外部に排出され、
前記回動機構により前記ファインダユニットを上端まで回動させた第二の状態では、前記ファインダユニットと前記装置本体との間が開放されることにより前記放熱部材の熱が外部に排出されるとともに、前記複数のフィン形状が前記装置本体に当接することにより前記放熱部材の熱が前記装置本体を介して放熱されることを特徴とする撮像装置。
【請求項２】
前記フィン形状は、前記ファインダユニットの上下方向に沿って設けられることを特徴とする請求項１に記載の撮像装置。
【請求項３】
前記ファインダユニットのカバーには、前記フィン形状と略同じ断面形状のガード形状部を備えることを特徴とする請求項１または２に記載の撮像装置。
【発明の詳細な説明】
【技術分野】
【０００１】
本発明は、撮像装置に関する。
【背景技術】
【０００２】
ビデオカメラ等の撮像装置には、撮影者が被写体や設定を確認するためのビューファインダーが搭載されているものがある。ビューファインダーの構成要素の中で表示パネルは発熱源となっており、熱対策が十分でないと内部素子の破壊や、ビューファインダーを構成する筐体外観部の温度上昇などの問題を引き起こすことになる。そのため、表示パネルの放熱が不可欠である。
【０００３】
ところで、このビューファインダーは、撮影者が様々な撮影スタイルで使用できるように、回動可能となっているものもある。このような回動可能なビューファインダーでは、ビューファインダー内で発生した熱を熱容量の大きい本体部へ伝える構造が難しく、ビューファインダー内で放熱構造が完結していることが望ましい。例えば、特許文献１に開示されているように、熱源となる表示パネルから表面積の大きく熱伝導率の高い放熱部材に放熱し、拡散させる方法がある。
【先行技術文献】
【特許文献】
【０００４】
【特許文献１】特開２０１６−５４４２５号公報
【発明の概要】
【発明が解決しようとする課題】
【０００５】
近年、ビューファインダーが高精細化され、或いはハイダイナミックレンジ対応といった高機能化されることに伴い、消費電力が増大している。このようなビューファインダーの消費電力増加に対応するためには、従来のような熱の拡散による対策では不十分であるという課題がある。
【課題を解決するための手段】
【０００６】
本発明の撮像装置は、回動機構により装置本体に対して回動可能なファインダユニットを備えた撮像装置であって、前記ファインダユニットは、前記回動機構と対向する位置に配置され複数のフィン形状を備えた金属製の放熱部材と、上面側及び下面側に設けられた穴形状または溝形状と、を有し、前記回動機構により前記ファインダユニットを下端まで回動させた第一の状態では、前記ファインダユニットと前記装置本体との間に略閉空間が形成され、前記上面側及び下面側に設けられた前記穴形状または前記溝形状を介して前記略閉空間を外気が通過することにより前記放熱部材の熱が外部に排出され、前記回動機構により前記ファインダユニットを上端まで回動させた第二の状態では、前記ファインダユニットと前記装置本体との間が開放されることにより前記放熱部材の熱が外部に排出されるとともに、前記複数のフィン形状が前記装置本体に当接することにより前記放熱部材の熱が前記装置本体を介して放熱されることを特徴とする。
【発明の効果】
【０００７】
本発明によれば、回動可能なビューファインダー内で発生する熱を効果的に外気へ放熱することが可能となり、素子の破壊やビューファインダー外観部の温度上昇を防ぐことができる。
【図面の簡単な説明】
【０００８】
【図１】ファインダユニット１００の第一の状態を示す撮像装置の外観斜視図である。
【図２】ファインダユニット１００の第二の状態を示す撮像装置の外観斜視図である。
【図３】ファインダユニット１００の外観斜視図である。
【図４】ファインダユニット１００の分解斜視図である。
【図５】ファインダユニット１００の分解斜視図である。
【図６】放熱部材１０６の斜視図である。
【図７】ファインダユニット１００を不図示とした状態の撮像装置１外観斜視図である。
【図８】撮像装置１の上面図である。
【図９】ファインダユニット１００の第一の状態を示す撮像装置のＢ−Ｂ断面図である。
【図１０】ファインダユニット１００の第二の状態を示す撮像装置のＢ−Ｂ断面図である。
【図１１】ファインダユニット１００の第三の状態を示す撮像装置のＢ−Ｂ断面図である。
【図１２】ファインダユニット１００の第二の状態を示した、背面下側からの斜視図である。
【発明を実施するための形態】
【０００９】
＜第１の実施形態＞
以下、図を参照しながら、本発明を実施するための形態についての説明を行う。なお各図において、統一した座標系（Ｘ，Ｙ，Ｚ）を図示する。
【００１０】
図１は、本実施例における撮像装置１の外観斜視図である。撮像装置１は、＋Ｚ側に不図示のレンズマウント部を備えており、撮影時には、各種レンズが装着される。レンズを通過した光学像が不図示のイメージセンサにより撮像されて、撮影された画像が各種メディアに記録される。基本的には撮影者は−Ｚ側から撮影することになる。以下、説明文中に便宜上表現する上下方向、左右方向、前後方向は、この撮影者側から見た方向を示す。すなわち、上下左右前後は、それぞれ＋Ｙ、−Ｙ、＋Ｘ、−Ｘ、＋Ｚ、−Ｚを示す。
【００１１】
撮像装置１は、表示部を備え、装置本体に対して回動可能なファインダユニット１００を有しており、撮影された画像等の確認が可能となっている。なお、図１は、ファインダユニット１００を下端まで回動させた状態を示している。図２は、ファインダユニット１００を上端まで回動させた状態を示した外観斜視図である。図１をファインダユニット１００の第一の状態、図２をファインダユニット１００の第二の状態、図１と図２の中間位置にある状態をファインダユニット１００の第三の状態とする。
【００１２】
図３は、ファインダユニット１００の外観斜視図であり、図４は、上カバー１０１と下カバー１０２、アイカップ１０３を分解した状態のファインダユニット１００を示す分解斜視図である。図３に示すように、回動機構であるヒンジ１０４の固定部１０４ｂが本体側に固定されることで、ファインダユニット１００は、ヒンジ回転中心１０４ａを回転中心として回動可能となっている。
【００１３】
また、図４に示すように、ファインダユニット１００内のファインダ基板１１０に接続されたフレキシブル基板１０５は、もう一方の端子部が本体側にある不図示のメイン基板と接続される。ファインダユニット１００の筐体となる外形は、樹脂製の上カバー１０１と下カバー１０２、金属製の放熱部材１０６で構成されており、放熱部材１０６には後述する複数のフィン形状１０６ａが設けられている。
【００１４】
また、下カバー１０２の壁部１０２ｃには、放熱部材１０６のフィン形状１０６ａと同じ方向に同様のフィンガード形状部１０２ｄが複数設けられている。上カバー１０１と下カバー１０２には、それぞれ庇状の壁形状１０１ａ、壁形状１０２ａが、ヒンジ１０４を中心に左右対称に設けられている。また、ヒンジ１０４を覆うように、上カバー１０１と下カバー１０２には壁形状１０１ｂ、壁形状１０２ｂが同様に左右対称に構成されている。
【００１５】
これらの壁形状１０１ａ、壁形状１０２ａ、壁形状１０１ｂ、壁形状１０２ｂと放熱部材１０６により、図３のように一方の口が開いた形状の空間Ａを構成している。ヒンジ１０４を挟んだ向かい側には、同様な対称形状で空間Ａが構成される。また、上カバー１０１の壁形状１０１ａには、前述の空間Ａまで通じる複数の穴形状１０１ｃが、ヒンジ１０４を挟んで対称に設けられている。なお、上カバー１０１、下カバー１０２の外周には弾性部材のアイカップ１０３が取りつけられている。
【００１６】
図５は、ファインダユニット１００の分解斜視図である。ヒンジ１０４の回動部１０４ｃは、上カバー１０１と下カバー１０２により、フレキシブル基板１０５と共に挟持されている。下カバー１０２には、不図示の光学部材が構成される光学部１０７が保持され、光学部１０７には表示部１０８が取り付けられる。表示部１０８の表示画像は、図中−Ｚ方向に表示されることで、撮影者による表示画像の確認が可能となっている。
【００１７】
この表示部１０８は、近年の高性能化により消費電力が増え、多くの熱を発する発熱源となっている。発熱量が多くなると、周囲の素子の破壊や、ファインダユニット１００を構成する外装の温度上昇に繋がることになる。
【００１８】
表示部１０８から＋Ｚ方向には、弾性体で伝熱性に優れた放熱クッション１１１、金属部材であるプレート１０９、ファインダ基板１１０、放熱部材１０６の順で配置される。プレート１０９は、ファインダ基板１１０の保持と電気的なグランドを目的としている。このプレート１０９、ファインダ基板１１０には中央部にそれぞれ放熱クッション１１１外形よりも大きな開口１０９ａ、開口１１０ａが設けられている。
【００１９】
放熱クッション１１１は、これらの開口１０９ａ、開口１１０ａ内に配置され、かつ表示部１０８と放熱部材１０６に接触するように圧縮されている。そのため、表示部１０８で発生した熱は、放熱クッション１１１を介して直接放熱部材１０６に伝えられる。つまり、放熱部材１０６を冷却することができれば、表示部１０８で発生する熱を逃がすことができる構成となっている。
【００２０】
図６は、放熱部材１０６の斜視図である。放熱部材１０６には、前述のように複数の凸凹を持ったフィン形状１０６ａがＹ方向、つまり基本的な撮影状態における上下方向に沿って設けられている。このフィン形状１０６ａにより、放熱部材１０６の表面積は大きくなっている。
【００２１】
本実施例では、熱伝導性の高い金属製の放熱部材１０６が外観面を構成しているため、表示部１０８から伝わった熱を表面積の大きいフィン形状１０６ａから効率よく外気に放熱することが可能となっている。この際、温められた外気は、前述のフィン形状１０６ａの方向により、滞留することなくスムーズに上昇することができる。また、フィン形状１０６ａには、複数の突起形状１０６ｂが設けられている。
【００２２】
図７は、ファインダユニット１００を不図示とした状態の撮像装置１の外観斜視図である。ファインダユニット１００の周辺における本体側の構造について説明する。
【００２３】
本体内部に固定されたヒンジ１０４周辺には、上面カバー１１２、背面小カバー１１３、背面カバー１１４が配置されており、背面カバー１１４には、複数の溝形状１１４ａが構成されている。また、ヒンジ１０４の周辺には、金属部材からなる伝熱部材１１５１、伝熱部材１１５２が設けられている。この伝熱部材１１５１、伝熱部材１１５２は、不図示である本体内部の熱容量の大きい金属性のフレーム部材に締結されている。
【００２４】
図８は、撮像装置１の上面図であり、図９、図１０、図１１は、図８におけるファインダユニット１０付近のＢ−Ｂ断面図を示している。それぞれファインダユニット１００の回動位置に関して、図９は第一の状態、図１０は第二の状態、図１１は第三の状態を示している。なお、説明に必要のない箇所は不図示としてある。以下、ファインダユニット１００の各状態における放熱部材１０６の放熱について説明する。
【００２５】
最初に、図９を用いて第一の状態について説明する。図中矢印は、外気の流れを示している。第一の状態では、前述の空間Ａが背面小カバー１１３により遮られるため、略閉空間が形成される。しかし、この空間Ａの下面側には、背面カバー１１４に設けられた溝形状１１４ａ、上面側には、上カバー１０１に設けられた穴形状１０１ｃが設けられているため、放熱部材１０６の熱で温められた外気は上昇し、穴形状１０１ｃから外部へと排出される。その際、溝形状１１４ａから新しい外気を引き込むことになる。このような空気の流れが発生することで、効率よく放熱部材１０６に伝わった熱を排出することが可能となっている。
【００２６】
なお、本実施例では、外気の通り道である溝形状１１４ａを背面カバー１１４に設けられているが、その限りではなく、ファインダユニット１００の下カバー１０２に設けていてもよい。同様に、上面にある穴形状１０１ｃをファインダユニット１００の上カバー１０１に設けているが、その限りではなく、例えば、本体側である上面カバー１１２に設けられていてもよい。また、溝形状、穴形状に関して言えば、それぞれ空気の通り道を構成することができればよく、溝形状でも穴形状でもどちらでもよい。
【００２７】
続いて、図１０を用いて第二の状態について説明する。この第二の状態では、ファインダユニット１００は、ヒンジ回転中心１０４ａを中心に回動し、ファインダユニット１００と装置本体との間が開放される。さらに、放熱部材１０６のフィン形状１０６ａに設けた突起形状１０６ｂが、装置本体の伝熱部材１１５１と当接している。このため、放熱部材１０６に伝わった熱は伝熱部材１１５１を介し、本体内の熱容量の大きい部材に逃がすことが可能となっている。この第二の状態では、ファインダユニット１００で発生した熱を放熱部材１０６により外気へ放熱するとともに、装置本体側へ放熱することも可能となっている。
【００２８】
さらに、第三の状態における放熱方法を説明する。図１１は、ファインダユニット１００がヒンジ回転中心１０４ａを中心として回動した、上端と下端の中間位置である第三の状態を示している。放熱部材１０６は、前述のようにファインダユニット１００の外観部材となっているため、多くの外気に触れることが可能となっている。このため、放熱部材１０６に伝わった熱を、フィン形状１０６ａにより効率よく排出することが可能である。
【００２９】
第一の状態、第二の状態、第三の状態のいずれにおいても、放熱部材１０６がヒンジ１０４と対向する位置に配置されることでファインダユニット１００に隠れ、撮影者が高温となる放熱部材１０６に触れにくい構成となっている。
【００３０】
続いて、撮影者が放熱部材１０６触れることを防止する構成について説明する。図１２は、ファインダユニット１００の第二の状態を示した、背面下側からの斜視図である。第二の状態では、ファインダユニット１００と本体とに隙間が生じることになる。この隙間には高温となる放熱部材１０６が配置されているが、ファインダユニット１００の回動量によっては隙間が大きくなり、撮影者が放熱部材１０６に触れやすくなる場合がある。そのため、本実施例では下カバー１０２に設けたフィンガード形状１０２ｄにより、ユーザーが放熱部材１０６に触れることを防止している。また、このフィンガード形状１０２ｄをフィン形状１０６ａと略同様の断面形状とすることで、外気の流れを妨げることはない。そのため、放熱部材１０６の放熱効率を下げることなく、ユーザーによる放熱部材１０６への接触も防止することが可能となっている。
【００３１】
以上の構成により、ファインダユニット１００内の表示部１０８で発生する熱は放熱部材１０６に伝えられ、金属製で熱伝導率の高い放熱部材１０６から外気へと効率よく放熱される。その結果、表示部１０８周囲の素子の破壊を防ぎ、撮影者が触れることになる上カバー１０１や下カバー１０２の温度上昇も抑えられることになる。また、外観部を形成し高温となる放熱部材１０６に関しては、ヒンジ１０４と対向する位置に配置しているため、撮影者は放熱部材１０６に触れにくい構成となっている。更に、フィンガード形状１０２ｄにより撮影者が放熱部材１０６に触れることを防止している。
【００３２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３３】
１  撮像装置
１００  ファインダユニット
１０１  上カバー
１０１ｃ  穴形状
１０２  下カバー
１０２ｄ  フィンガード形状部
１０４  ヒンジ
１０４ｃ  回動部
１０６  放熱部材
１０６ａ  フィン形状
１１４ａ  溝形状
【図１】
2020061708.tif 000003
【図２】
2020061708.tif 000004
【図３】
2020061708.tif 000005
【図４】
2020061708.tif 000006
【図５】
2020061708.tif 000007
【図６】
2020061708.tif 000008
【図７】
2020061708.tif 000009
【図８】
2020061708.tif 000010
【図９】
2020061708.tif 000011
【図１０】
2020061708.tif 000012
【図１１】
2020061708.tif 000013
【図１２】
2020061708.tif 000014